(57)【特許請求の範囲】
【請求項１】
縦方向および横方向と、身体側およびその反対側と、前記縦方向に連なる前後ウエスト域および前記前後ウエスト域間に位置するクロッチ域と、前記横方向に延びる前後端部および前記縦方向に延びる両側部とを含むシャーシと、少なくとも前記クロッチ域および前記後ウエスト域に位置するとともに体液吸収面および底面を有する吸液構造体とを有する使い捨て着用物品において、
前記吸液構造体の前記体液吸収面および底面の少なくともいずれか一方には、前記後ウエスト域の前記縦方向に延びる第１凸部が形成され、前記第１凸部は、前記両側部にそれぞれ位置する一方、前記クロッチ域および前記前ウエスト域には形成されておらず、
前記吸液構造体の前記体液吸収面および底面の少なくともいずれか一方に、前記第１凸部の前記横方向の間に位置して前記前端部および前記後端部の間において前記縦方向へ延びる凹部が形成され、
前記シャーシの前記身体側には、前記縦方向および前記横方向に直交する厚さ方向において前記第１凸部及び前記凹部に重なって位置し、前記縦方向に延びる前記両側部のみが前記シャーシに接合される一方、前記凹部と前記横方向の中央とが非接合である肌当シートが形成されていることを特徴とする前記使い捨て着用物品。
【請求項２】
前記吸液構造体は、吸液性芯材と、前記芯材を覆う被覆シートとを有し、前記第１凸部は、前記芯材と同一材料によって形成される請求項１記載の使い捨て着用物品。
【請求項３】
前記第１凸部は、高分子材料によって形成される請求項１または２記載の使い捨て着用物品。
【請求項４】
前記高分子材料は、発泡性ポリウレタンである請求項３記載の使い捨て着用物品。
【発明の詳細な説明】
【技術分野】
【０００１】
本発明は、使い捨て着用物品に関し、より詳しくは、吸液構造体に特徴を有する使い捨て尿取り用パッド、使い捨ておむつ、使い捨てのトイレット・トレーニングパンツ、使い捨て失禁パンツ、使い捨ての生理用パンツ等の使い捨て着用物品に関する。
【背景技術】
【０００２】
従来、前後ウエスト域と、これら前後ウエスト域の間に位置するクロッチ域とを有する使い捨ておむつにおいて、着用者の仙骨に接触する部分に、嵩だか部材を取り付けることは公知である。例えば、特許文献１には、表面シートと、裏面シートと、これらシートの間に介在された吸収体と、個の吸収体と表面シートとの間に介在された嵩だか部材とを有するおむつが開示されている。嵩だか部材は、着用時に着用者の仙骨に対応する位置である仙骨あたり部に設けられ、着用者の仙骨と床との間にクッションが形成された状態にすることができる。
【先行技術文献】
【特許文献】
【０００３】
【特許文献１】特開２００６−１０１８９５号公報（ＪＰ  ２００６−１０１８９５  Ａ）
【発明の概要】
【発明が解決しようとする課題】
【０００４】
特許文献１に記載されたおむつでは、嵩だか部材は、仙骨あたり部に形成され、常に仙骨におむつが接触した状態になる。仙骨は他の部分よりも外側に突出しているから、自重で仙骨が床側に押し付けられることによって褥瘡を発症し易く、褥瘡が発生した部分がおむつに接触することによって、着用者への刺激が大きくなるとともに、褥瘡の治癒を遅らせる可能性もある。
【０００５】
この発明では、身体へかかる圧力を部分的に低減することができる使い捨て着用物品を提供することを課題とする。
【課題を解決するための手段】
【０００６】
本発明は、縦方向および横方向と、身体側およびその反対側と、前記縦方向に連なる前後ウエスト域および前記前後ウエスト域間に位置するクロッチ域と、前記横方向に延びる前後端部および前記縦方向に延びる両側部とを含むシャーシと、少なくとも前記クロッチ域に位置するとともに体液吸収面および底面を有する吸液構造体とを有する使い捨て着用物品の改良にかかわる。
【０００７】
この発明は、前記吸液構造体の前記体液吸収面および底面の少なくともいずれか一方には、前記後ウエスト域の前記縦方向に延びる第１凸部が形成され、前記第１凸部は、前記両側部にそれぞれ位置する一方、前記クロッチ域および前記前ウエスト域には形成されておらず、前記吸液構造体の前記体液吸収面および底面の少なくともいずれか一方に、前記第１凸部の前記横方向の間に位置して前記前端部および前記後端部の間において前記縦方向へ延びる凹部が形成され、  前記シャーシの前記身体側には、前記縦方向および前記横方向に直交する厚さ方向において前記第１凸部及び前記凹部に重なって位置し、前記縦方向に延びる前記両側部のみが前記シャーシに接合される一方、前記凹部と前記横方向の中央とが非接合である肌当シートが形成されていることを特徴する。
【００１０】
他の実施態様のひとつとして、前記吸液構造体は、吸液性芯材と、前記芯材を覆う被覆シートとを有し、前記第１凸部は、前記芯材と同一材料によって形成される。
【００１１】
他の実施態様のひとつとして、前記第１凸部は、高分子材料によって形成される。
【００１２】
他の実施態様のひとつとして、前記高分子材料は、発泡性ポリウレタンである。
【発明の効果】
【００１４】
本発明の特にそのひとつ以上の実施態様によれば、吸液構造体の後ウエスト域には、体液吸収面および底面の少なくともいずれか一方から突出する第１凸部が形成され、第１凸部は、両側部に位置して縦方向に延びている。すなわち、横方向中央近傍には、縦方向に延びる凹部が形成される。仙骨は、着用者の幅方向中央部近傍に位置するから、本願発明の着用物品を着用した際には、吸液構造体が直接仙骨に接触してこの仙骨を強く圧迫することがない。したがって、吸液構造体が着用者の肌に擦れることによる刺激を緩和することができる。
【図面の簡単な説明】
【００１５】
【図１】第１の実施形態の使い捨て着用物品の一例である使い捨ての尿取り用パッドの平面図。
【図２】図１の分解組立図。
【図３】図１のＩＩＩ−ＩＩＩ線断面図。
【図４】パッドの着用状態を示す説明図。
【図５】パッドの着用状態を示す説明図。
【図６】第２の実施形態の吸液構造体の分解組立図。
【図７】第３の実施形態の吸液構造体の斜視図。
【図８】図７のＶＩＩＩ−ＶＩＩＩ線断面図。
【図９】図７のＩＸ−ＩＸ線断面図。
【図１０】第４の実施形態の吸液構造体の平面図。
【図１１】第５の実施形態の吸液構造体の平面図。
【図１２】第６の実施形態の吸液構造体の平面図。
【図１３】第７の実施形態のパッドの平面図。
【図１４】図１３のＸＩＶ−ＸＩＶ線断面図。
【発明を実施するための形態】
【００１６】
＜第１の実施形態＞
図１は、本発明に係る使い捨て着用物品の一例として示す、使い捨ての尿取用パッド１の斜視図、図２は、パッド１の一部を破断した分解斜視図、図３は、図１のＩＩ−ＩＩ線断面図、図４および５は、パッド１の着用例を示した図である。パッド１は、横方向Ｘの長さ寸法を二等分した仮想縦中心線Ｐ−Ｐ、縦方向Ｙの長さ寸法を二等分した仮想横中心線Ｑ−Ｑを有し、仮想縦中心線Ｐ−Ｐに関してほぼ対称とされている。対称の部分では、その一方にのみ符号を付し、他方では一部省略している。
【００１７】
パッド１は、着用者の身体側およびその反対側である着衣側と、前ウエスト域１１と、後ウエスト域１２と、前後ウエスト域１１，１２間に位置するクロッチ域１３とを有するシャーシ１０と、クロッチ域１３から前後ウエスト域１１，１２に延びるパネル状の吸液構造体２０とを含む。
【００１８】
シャーシ１０は、互いに仮想横中心線Ｑ−Ｑに関して対向し、横方向Ｘに延びる前後端部１４，１５と、互いに仮想縦中心線Ｐ−Ｐに関して対向し、縦方向Ｙへ延びる両側部とを有する。両側部は、前ウエスト域１１に位置する前側部１６ａと、後ウエスト域１２に位置する後側部１６ｂと、クロッチ域１３に位置するクロッチ側部１６ｃとを有する。前後側部１６ａ，１６ｂは、仮想縦中心線Ｐ−Ｐにほぼ平行に延びるとともに、クロッチ側部１６ｃは、着用者の大腿部に沿ってフィットするように凹曲状に形成されている。
【００１９】
シャーシ１０は、身体側を形成する内面シート１７と、その反対側である着衣側を形成する外面シート１８とを含む。これら内外面シート１７，１８の間には、吸液構造体２０が配置されている。吸液構造体２０は、内面シート１７に対向する体液吸収面２１と、外面シート１８に対向する底面２２とを有している。底面２２と外面シート１８との間には、底面２２を覆う漏れ防止フィルム１９が介在されている。内面シート１７と吸液構造体２０、吸液構造体２０と漏れ防止フィルム１９、漏れ防止フィルム１９と外面シート１８は、それぞれ互いにホットメルト接着剤等によって間欠的に接合されている。
【００２０】
内外面シート１７，１８は、スパンボンド繊維不織布、スパンボンド・メルトブローン・スパンボンド（ＳＭＳ）繊維不織布、エアスルー不織布等を用いることができる。漏れ防止フィルム１９は、透湿性を有する不透液性のプラスチックフィルムを用いることができる。吸液構造体２０は、フラッフパルプと超吸収性ポリマー粒子等との混合物を圧縮形成した吸液性の芯材２３を液拡散性の被覆シート２４で覆うことによって形成される。
【００２１】
吸液構造体２０は、少なくともクロッチ域１３に位置するとともに、前後ウエスト域１１，１２に向かって縦方向Ｙに延びている。吸液構造体２０は、クロッチ域１３において、横方向Ｘの長さ寸法が小さくなり、仮想横中心線Ｑ−Ｑに向かってくびれた形状を有している。この実施形態では、クロッチ域１３の多くが仮想横中心線Ｑ−Ｑよりも縦方向Ｙの前方に位置し、後ウエスト域１２の縦方向Ｙの長さ寸法は、前ウエスト域１１のそれよりも大きくされている。
【００２２】
吸液構造体２０は、体液吸収面２１には、内面シート１７側に突出する一対の第１凸部３１が形成されている。第１凸部３１は、後ウエスト域１１に位置するとともに、吸液構造体２０の両側部２５において、縦方向Ｙに延びている。第１凸部３１は、吸液構造体２０の芯材２３と同じ材質、すなわちフラッフパルプと超吸収性ポリマー粒子との混合物によって形成されるとともに、その厚さ方向の長さ寸法が約８ｍｍ〜３０ｍｍとされている。
【００２３】
上記のような第１凸部３１および吸液構造体２０は、型枠に芯材２３の材料を積層することによって、一体的に形成可能である。すなわち、型枠に、吸液構造体２０に対応する凹部に、さらに第１凸部３１に対応する凹部を形成し、この型枠に芯材２３を積層して圧縮することによって、第１凸部３１と吸液構造体２０とを形成することができる。このような製法によれば第１凸部３１と吸液構造体２０とを同時に作成することができる。
【００２４】
上記のように形成された吸液構造体２０は、所要の圧力で圧縮成形される。吸液構造体２０の芯材２３の単位面積当たりの質量は、例えば約２００ｇ／ｍ２、第１凸部３１と吸液構造体２０とが重なった部分における単位面積当たりの質量は、例えば約６００〜８００ｇ／ｍ２とすることができる。これら単位面積当たりの質量の差を４００〜６００ｇ／ｍ２とすることによって、第１凸部３１が形成された部分では、形成されない部分よりも約８ｍｍ厚くすることができる。また、この実施形態において、一対の第１凸部３１の離間寸法は約１００ｍｍとされている。なお、芯材の単位面積当たりの質量は、上記範囲に限られることなく、この技術分野において通常用いられる程度において適宜変更可能である。
【００２５】
図４および５は、パッド１の着用状態を例示し、着用者Ｂを仮想線にて示したものである。図示したように、クロッチ域１３を着用者Ｂの股下にあてがい、前ウエスト域１１が着用者Ｂの腹側に、後ウエスト域１２が背側に位置するようにする。パッド１は、その上からさらにおむつやおむつカバーなどで覆われて、着用者に密着させて使用されるのが一般的である。図４，５では、おむつまたはおむつカバーを省略している。この実施形態では、パッド１の前側部１６ａと後側部１６ｂとは互いに接触することなく、着用者Ｂの腹側と背側との間で離間している。
【００２６】
パッド１は、後ウエスト域１２が前ウエスト域１１に比べて、縦方向Ｙの長さ寸法が大きくされているので、背側が広い範囲で覆われるようになる。具体的には、着用者Ｂの仙骨を覆う長さを有していることが望ましい。パッド１は、着脱が容易であることから、ベッド等に寝ている時間が多い着用者に好適であるが、着用者が仰向けで寝ている場合には、尿は背中側へと流れるから、後ウエスト域１２の縦方向Ｙの長さ寸法を大きくすることによって、着用者の背中側に流れた尿を吸収することができる。
【００２７】
上記のようなパッド１には、第１凸部３１が形成されているから、着用者Ｂには、第１凸部３１が当接する。第１凸部３１は、吸液構造体２０の両側部２５にのみ取り付けられているから、それら第１凸部３１の間には凹部３６が形成される。したがって、着用時において、着用者Ｂの身体の中心近傍に位置する仙骨は、凹部３６に位置される。着用者が仰向けになっていたとしても、仙骨部分に体圧が作用しにくく、褥瘡の発生を抑制することができる。また、たとえ褥瘡ができていたとしても、仙骨部分において着用者の肌とパッド１とが強く擦れることがないので、肌に対する刺激を低減することができる。
【００２８】
吸液構造体２０の両側部２５に縦方向Ｙにのびて第１凸部３１を形成することとしたので、凹部３６も、縦方向Ｙに延びて形成される。着用者がベッドを起こして背もたれとして使用し、この際に仙骨とパッド１との位置が相対的に縦方向Ｙにずれてしまった場合であっても、仙骨は、凹部３６に納まり、他の部分に接触することがない。したがって、このような場合であっても、着用者とパッド１との接触による刺激を抑制することができる。
【００２９】
第１凸部３１と吸液構造体２０とが重なる位置において、芯材の単位面積当たりの質量が、他の領域よりも大きくされているから、その分、圧縮抵抗および復元弾性を高くすることができる。したがって、第１部分３１が押圧されても押しつぶされ難く、第１凸部３１の間に形成された凹部３６の形状を維持することができる。また、両側部２５に第１凸部３１を形成することによって、この第１凸部３１が壁となって尿等が横方向Ｘ外側に漏れるのを防止することもできる。
【００３０】
この実施形態では、第１凸部３１と吸液構造体２０とを一体的に形成しているが、これらを別々に形成し、吸液構造体２０に第１凸部３１を積層させることもできる。この場合、吸液構造体２０の被覆シート２４の外側に第１凸部３１を形成することもできるし、被覆シート２４の内側に第１凸部３１を形成することもできる。また、第１凸部３１を、吸液構造体２０よりも高圧力で圧縮し、第１凸部３１の芯材の単位面積当たりの質量を吸液構造体２０の芯材のそれよりも大きくすることもできる。この場合には、第１凸部３１の圧縮抵抗が高くなり、第１凸部３１の変形を防止することができる。
【００３１】
第１凸部３１を芯材によって形成した場合には、この芯材に熱可塑性繊維を混合することもできる。熱可塑性繊維を混合した第１凸部３１を加熱・加圧して成形した場合には、熱可塑性繊維の一部が互いに融着し、ネット構造となるからフラッフパルプや超吸収性ポリマー粒子が零れ落ちるのを防止することもできる。また、熱可塑性繊維がネット構造を形成することによって、復元弾性が向上することも期待できる。
【００３２】
＜第２の実施形態＞
図６は、第２の実施形態のパッド１に用いられる吸液構造体２０を例示したものである。第１の実施形態と同様の構成については、第１の実施形態と同じ符号を用い、その詳細な説明を省略する。
【００３３】
吸液構造体２０は、吸液性の芯材２３と、この芯材２３を覆う液拡散性の被覆シート２４とによって形成される。第１凸部３１は、高分子材料の一例である発泡性ポリウレタンによって形成され、被覆シート２４にホットメルト接着剤等（図示せず）によって接合されている。第１凸部３１として、撥水性の発泡性ポリウレタンを用いることによって、尿等の体液の横方向Ｘ外側への漏れおよびにじみを防止することができる。また、圧縮抵抗および復元弾性の高い発泡性ポリウレタンを使用することによって、第１凸部３１による着用者の身体に対する刺激を低減することができるとともに、体圧が作用した場合でもその形状が崩れるのを防止できる。
【００３４】
高分子材料として、発泡性ポリウレタンのほかに、帝人ファイバー（株）製エルク（商標）、大和紡績（株）製ミラクルファイバー（商標）等のポリエステル／ポリオレフィン複合繊維によって形成されたクッション材料を用いることができる。このようなクッション材料を用いることによって、通気性を向上させることができ、パッド１内の蒸れを防止することができる。
【００３５】
＜第３の実施形態＞
図７〜９は、この発明の第３の実施形態を例示したものであり、図７は吸液構造体２０の平面斜視図、図８は図７のＶＩＩＩ−ＶＩＩＩ線断面図、図９は図７のＩＸ−ＩＸ線断面図である。この実施形態では、吸液構造体２０の底面２２に第１凸部３１を形成したことを特徴とする。他の構成要素は、第１の実施形態と同様であるので、第１の実施形態と同様の構成要素については、それと同じ符号を用い、詳細な説明を省略する。
【００３６】
第１凸部３１は、吸液構造体２０の両側部２５であって、底面２２に形成されている。第１凸部３１は、後ろウエスト域１２に形成されるとともに、吸液構造体２０の芯材２３と同じ材料が用いられている。このようなパッド１が着用者に着用されると、第１凸部３１が重なる吸液構造体２２は、着用者に比較的強く接触するが、第１凸部３１が重ならない部分においては、接触しないか、弱い接触力で接触する。第１凸部分３１が重ならない横方向Ｘの中央部分で、吸液構造体２０が着用者の肌に沿って弱く接触する場合には、接触しない場合に比べて、排泄された尿等を速やかに吸収することができる。したがって、尿が着用者の肌を伝って移動することがなく、この伝いによる漏れを防止することができる。
【００３７】
第１凸部３１の横方向Ｘの間では、吸液構造体２０が自重または着用者の体圧によって、底面２２側に向かってへこむように撓んでいる（図８参照）。また、第１凸部３１の縦方向Ｙに隣接するクロッチ域１３側端部でも、底面２２側に向かってへこむように撓んでいる（図９参照）。このように、なだらかな角度を持って撓むことによって、第１凸部３１の着用者に対する違和感を軽減することができる。第１凸部３１は、フラッフパルプと超吸収性ポリマー粒子の混合物等によって形成されていてもよいし、高分子化合物で形成されていてもよい。この実施形態の構成要素は、他の実施形態の構成要素との組み合わせが可能である。
【００３８】
＜第４の実施形態＞
図１０は、第４の実施形態の吸液構造体２０を例示したものであり、第１凸部３１の横方向Ｘの間に連結凸部３２を形成したことを特徴とする。その他の構成は、第１の実施形態と同様であるので、第１の実施形態と同様の構成要素については、それと同じ符号を用い、詳細な説明を省略する。
【００３９】
連結凸部３２は、第１凸部３１の後端部３１ａを横方向Ｘに連結するものであって、第１凸部３１と同様に吸液構造体２０の体液吸収面２１に形成される。このように、連結凸部３２によって、第１凸部３１の間には、横方向Ｘに延びる壁を形成することができ、第１凸部３１の間の凹部３６に尿等がたまった場合であっても、この尿が後端部３１ａから流出するのを防止することができる。また、第１凸部３１と連結凸部３２とが着用者の体圧を受けることになるので、第１凸部３１のみの場合に比べて、その体圧を分散することができ、第１凸部３１の変形を抑制することができる。連結凸部３２と第１凸部３１とを同一材料によって形成する場合には、それらを一体的に形成することができる。第１凸部３１および連結凸部３２は、少なくともいずれか一方は高分子材料によって形成することもできる。この実施形態において、他の実施形態の構成要素との組み合わせがそれぞれ可能である。
【００４０】
＜第５の実施形態＞
図１１は、第５の実施形態の吸液構造体２０を例示したものであり、横方向Ｘの中央部分に第２凸部３３を形成することを特徴とする。その他の構成は、第１の実施形態と同様であるので、同様の構成要素については、第１の実施形態と同じ符号を用い、詳細な説明を省略する。
【００４１】
吸液構造体２０の両側部２５には、後ウエスト域１２に位置する第１凸部３１が形成されている。第２凸部３３は、第１凸部３１の縦方向Ｙに隣接して形成され、後ウエスト域１２からクロッチ域１３に延在して位置されている。第２凸部３３は、横方向Ｘのほぼ中央部に位置し、縦方向Ｙに延びて形成され、第１凸部３１と第２凸部３３とによって、ほぼＹ字を形成している。これら第１凸部３１および第２凸部３３は、吸液構造体２０の体液吸収面２１に形成されている。
【００４２】
第１凸部３１と第２凸部３３によって、後ウエスト域１２とクロッチ域１３との間であって、吸液構造体２０の両側部２５には、一対の溝部３４が形成される。この溝部３４は、着用者がパッド１を着用した際に、着用者の坐骨に位置することが好ましい。坐骨も仙骨同様、他の部分よりも突出しており、特に坐骨は、着用者が座ったときに、いすやベッドに接触しやすい部分である。そうすると、坐骨部分でも褥瘡が発生したり、接触による刺激が強くなったりするが、この部分で溝部３４が形成されているので、褥瘡の発生を抑制し、刺激を低減することができる。また、第１凸部３１によって形成された凹部３６の前端部２６側が第２凸部３３で封鎖されるので、凹部３６に排泄された尿等が前端部２６側に移動するのを防止することができる。第１凸部および第２凸部は、フラッフパルプと超吸収性ポリマー粒子の混合物等によって形成されていてもよいし、高分子化合物で形成されていてもよく、第１〜第４のそれぞれの実施形態の構成との組み合わせが可能である。
【００４３】
＜第６の実施形態＞
図１２は、第６の実施形態の吸液構造体を例示したものである。この実施形態では、吸液構造体２０に第１凸部３１、第２凸部３３および第３凸部３５が形成されていることを特徴とする。その他の構成要素については、第１の実施形態と同様であるので、その構成要素については、第１の実施形態と同じ符号を用い、詳細な説明を省略する。
【００４４】
第１凸部３１は、吸液構造体２０の両側部２５であって、後ウエスト域１２に位置している。第２凸部３３は、第１凸部３１の縦方向Ｙに隣接するとともに、吸液構造体２０の中央部に位置し、後ウエスト域１２からクロッチ域１３に延在している。第３凸部３５は、第２凸部３３の縦方向Ｙに隣接し、前ウエスト域１１に位置するとともに、前ウエスト域１１においては吸液構造体２０にほぼ全体が重なっている。このような第１〜第３凸部３１，３３，３５が形成されることによって、吸液構造体２０に積層される積層体３０が形成される。
【００４５】
第１〜第３凸部３１，３３，３５を形成することによって、第１凸部３１の横方向の間では凹部３６を形成し、第１凸部３１と第２凸部３３の間では溝部３４を形成することができ、着用者の仙骨および坐骨に対する刺激を低減することができる。また、第１〜第３凸部３１，３３，３５のほぼ全体が肌に接触するから、その接触面積を大きくすることができ、その分、着用者の体圧を分散することができる。第１〜第３凸部３１，３３，３５は、フラッフパルプと超吸収性ポリマー粒子の混合物等によって形成されていてもよいし、高分子化合物で形成されていてもよく、第１〜第５の実施形態の構成要素のそれぞれとの組み合わせが可能である。
【００４６】
＜第７の実施形態＞
図１３および１４は、第７の実施形態を例示したものであり、第１凸部３１の対応する位置に、肌当シート４０を取り付けたことを特徴とする。その他の構成は、第１の実施形態と同様であるので、その構成については第１の実施形態と同じ符号を用い、詳細な説明を省略する。
【００４７】
吸液構造体２０の体液吸収面２１には、第１凸部３１が形成されている。第１凸部３１は、後ウエスト域１２であって、吸液構造体２０の両側部２５に縦方向Ｙに延びている。第１凸部３１には、内面シート１７が積層され、内面シート１７の内側に肌当シート４０が取り付けられている。具体的には、肌当シート４０は、内面シート１７の一方の後側部１６ｂと他方の後側部１６ｂとの間に延びるとともに、その両側部４３のみが内面シート１７にホットメルト接着剤などの接合手段４４によって接合されている。したがって、両接合手段４４の間は、肌当シート４０と内面シート１７とが非接合となっている。このような肌当シート４０は、例えば、スパンボンド繊維不織布、ＳＭＳ繊維不織布等、着用者の肌に対して摩擦・刺激が少ない材料を用いることができる。
【００４８】
肌当シート４０は、その両側部４３のみ内面シート１７に接合されているから、それら接合部の間では内面シート１７に対して離間可能となり、肌当シート４０は内面シート１７と相対的に移動することができる。
【００４９】
パッド１を着用すると、第１凸部および接触シート３０は着用者の背側であって、好ましくは仙骨に対応するように位置する。この状態において、例えばベッドをリクライニングさせ、上半身を起こすと、着用者の体重によって臀部が前方に移動することがある。このような場合であっても、肌当シート４０と内面シート１７とがずれるように相対的に縦方向Ｙまたは横方向Ｘに移動し、肌当シート４０は着用者の背側に追従して移動することができる。
【００５０】
上記のように、肌当シート４０が内面シート１７と相対的に移動することによって、着用者の肌に摩擦による刺激が生じることがなく、より一層褥瘡の発生を抑制することができる。また、第１凸部３１が肌に対して比較的強く接触するような場合であっても、この摩擦による刺激を低減することができ、第１凸部３１を形成することの違和感を軽減することができる。
【００５１】
第１凸部３１は、第１〜第６の実施形態に示したものと同じものをそれぞれ用いることができ、第２凸部、第３凸部、連結凸部をそれぞれ形成することもできる。
【００５２】
肌当シート４０は、縦方向Ｙまたは横方向Ｘに弾性的に収縮可能とすることができる。このようにすることで、より一層、肌当シート４０は、着用者の身体に追従して移動しやすくなる。弾性的に収縮可能とする手段としては、弾性体を肌当シート４０に取付けたり、肌当シート４０として伸縮性不織布等を用いたりすることがあげられる。
【００５３】
第１〜第７の実施形態おいて、おむつの内側に使用されるパッドを用いて説明しているが、使い捨ておむつ等の他の着用物品に応用することも可能である。また、おむつとしては、あらかじめ両側部が接合されたいわゆるプルオン・パンツ型、または、両側部１５が接合されていないオープン型に適用することも可能である。
【００５４】
クロッチ域１３において横方向Ｘの長さ寸法が小さくされた使い捨ての着用物品について説明したが、横方向Ｘの長さ寸法が、前後ウエスト域１１，１２およびクロッチ域１３でほぼ等しい、略矩形の着用物品を排除するものではない。このような矩形の着用物品の場合には、着用時に着用者の股下に位置する部分をクロッチ域１３とし、クロッチ域１３よりも腹側に位置する部分を前ウエスト域１１、背側に位置する部分を後ウエスト域１２とすることができる。また、この場合には、少なくとも仮想横中心線Ｑ−Ｑよりも後端部側に第１凸部３１が位置することが好ましい。
【００５５】
パッド１を構成する各構成部材には、本明細書に記載されている材料のほかに、この種の分野において通常用いられている、各種の公知の材料を制限なく用いることができる。
【００５６】
以上の実施形態において、ひとつの実施形態に他の実施形態の要素、構成を付加または組み合わせることができる。例えば、第７の実施形態の肌当シート４０は、他の実施形態にも適用することができる。
【符号の説明】
【００５７】
１    尿取り用パッド（使い捨ての着用物品）
１０    シャーシ
１１    前ウエスト域
１２    後ウエスト域
１３    クロッチ域
１４    前端部
１５    後端部
１６ｂ  後側部
２０    吸液構造体
２１    体液吸収面
２２    底面
２３    芯材
２４    被覆シート
３１    第１凸部
３２    連結凸部
３３    第２凸部
３５    第３凸部
４０    肌当シート
４３    両側部
４４    接合手段
【図１】
0005571973.tif 000002
【図２】
0005571973.tif 000003
【図３】
0005571973.tif 000004
【図４】
0005571973.tif 000005
【図５】
0005571973.tif 000006
【図６】
0005571973.tif 000007
【図７】
0005571973.tif 000008
【図８】
0005571973.tif 000009
【図９】
0005571973.tif 000010
【図１０】
0005571973.tif 000011
【図１１】
0005571973.tif 000012
【図１２】
0005571973.tif 000013
【図１３】
0005571973.tif 000014
【図１４】
0005571973.tif 000015